(57)【要約】【課題】番組視聴を邪魔することなく、ユーザが見ていた番組の放送内容に基づいて生成された関連情報を電気機器から報知させる。【解決手段】番組の放送中又は放送後に当該番組の放送内容に基づいて生成された関連情報を取得する関連情報取得部（１５）と、上記関連情報又は上記関連情報を取得した旨の情報を電気機器（６０）から報知させる制御部（１１）とを備えている。【選択図】図１
2019047319.tif 000002
【特許請求の範囲】
【請求項１】
番組の放送中又は放送後に当該番組の放送内容に基づいて生成された関連情報を取得する関連情報取得部と、
上記関連情報又は上記関連情報を取得した旨の情報を電気機器から報知させる制御部と、
を備えていることを特徴とする制御装置。
【請求項２】
上記関連情報とは、ユーザが少なくとも一部を視聴した番組に関する関連情報であることを特徴とする請求項１に記載の制御装置。
【請求項３】
請求項１に記載の制御装置を備えている表示装置であって、
コンテンツ表示の終了操作に起因して、上記関連情報を表示部に表示させる表示制御部を備えていることを特徴とする請求項１に記載の表示装置。
【請求項４】
上記コンテンツ表示の終了操作とは、画面表示の終了操作であることを特徴とする請求項３に記載の表示装置。
【請求項５】
請求項１に記載の制御装置を備えている表示装置であって、
上記関連情報を取得したことに起因して、上記関連情報又は上記関連情報を取得した旨の情報を表示部に表示させる表示制御部を備えていることを特徴とする請求項１に記載の表示装置。
【請求項６】
請求項３又は請求項５に記載の表示装置を備えていることを特徴とするテレビジョン受像機。
【請求項７】
番組の放送中又は放送後に当該番組の放送内容に基づいて生成された関連情報を取得する関連情報取得部と、
上記関連情報取得部による上記関連情報の取得に起因して、上記関連情報又は上記関連情報を取得した旨の情報を報知させる報知制御部と
を備えていることを特徴とする電気機器。
【請求項８】
上記関連情報とは、ユーザが少なくとも一部を視聴した番組に関する関連情報であることを特徴とする請求項７に記載の電気機器。
【請求項９】
請求項３又は請求項５に記載の表示装置と、
上記関連情報を出力する情報処理装置と、
を備えた表示システム。
【請求項１０】
請求項１に記載の制御装置としてコンピュータを機能させるための制御プログラムであって、上記関連情報取得部及び上記制御部としてコンピュータを機能させるための制御プログラム。
【請求項１１】
請求項７に記載の電気機器としてコンピュータを機能させるための制御プログラムであって、上記関連情報取得部及び上記報知制御部としてコンピュータを機能させるための制御プログラム。
【請求項１２】
請求項１０に記載の制御プログラムを記録したコンピュータ読み取り可能な記録媒体。
【請求項１３】
請求項１１に記載の制御プログラムを記録したコンピュータ読み取り可能な記録媒体。
【発明の詳細な説明】
【技術分野】
【０００１】
本発明は表示装置、テレビジョン受像機、電気機器、表示システム、制御プログラム、および記憶媒体に関する。
【背景技術】
【０００２】
従来、電源をオフする操作が行われた際に、実際に電源がオフされるまでの一定時間にわたり表示部に、製品情報、サービス内容、または告知情報等の伝達したい広告である伝達情報を表示する技術が知られている（例えば、特許文献１参照）。
【０００３】
また、テレビ番組の放送波に併せてＳＩ情報（Ｓｅｒｖｉｃｅ  Ｉｎｆｏｒｍａｔｉｏｎ）を配信する技術が従来技術として知られている。
【０００４】
また、類似の技術として番組の放送中またはその前後に当該番組に関するメタ情報を生成し、例えばインターネット経由で配信する技術が知られている。
【先行技術文献】
【特許文献】
【０００５】
【特許文献１】特開２００１−２４５２２４号公報（２００１年９月７日公開）
【発明の概要】
【発明が解決しようとする課題】
【０００６】
ＳＩ情報及び番組の開始前に配信されるメタ情報はコンテンツに関する情報が十分でなく、当該番組の詳細な内容を反映したものであるとは言い難い。また、放送内容に基づいて生成された関連情報である所謂後メタ情報が、番組の放送中又は放送後に生成されるが、このような後メタ情報は、テレビに表示するタイミングが難しいという問題がある。例えば、後メタ情報が配信されたタイミングでテレビに表示することもできるが、そのタイミングでは既に別のシーンまたは番組を見ており、後メタ情報をテレビに表示すると、試聴の邪魔になってしまう。また、ユーザが別の部屋に行くなど、テレビの前から離れてしまっていることも考えられる。
【０００７】
本発明の一態様は、上記の課題を鑑みてなされたものであり、番組視聴を邪魔することなく、ユーザが見ていた番組の放送内容に基づいて生成された関連情報を電気機器から報知させることを目的とする。また、ユーザが別の場所にいても関連情報を取得することが可能な技術を提供することを目的とする。
【課題を解決するための手段】
【０００８】
上記の課題を解決するために、本発明の一態様に係る制御装置は、番組の放送中又は放送後に当該番組の放送内容に基づいて生成された関連情報を取得する関連情報取得部と、
上記関連情報又は上記関連情報を取得した旨の情報を電気機器から報知させる制御部と、
を備えている構成である。
【発明の効果】
【０００９】
本発明の一態様によれば、番組視聴を邪魔することなく、ユーザが見ていた番組の放送内容に基づいて生成された関連情報を電気機器から報知させることができる。
【図面の簡単な説明】
【００１０】
【図１】本発明の本例に係る表示システム１の機能ブロック図である。
【図２】表示画面への関連情報の表示例を示す図である。
【図３】関連情報の報知例１を示す図である。
【図４】関連情報の報知例１を示す図である。
【図５】関連情報の報知例１に係るシーケンス図である。
【図６】関連情報の報知例２に係る表示システム１の機能ブロック図である。
【図７】関連情報の報知例２に係るシーケンス図である。
【図８】関連情報の報知例３に係るシーケンス図である。
【図９】関連情報の報知例４に係る表示システム１の機能ブロック図である。
【図１０】関連情報の報知例４に係るシーケンス図である。
【図１１】関連情報の報知例５に係る表示システム１の機能ブロック図である。
【図１２】関連情報の報知例５に係る表示システム１の機能ブロック図である。
【発明を実施するための形態】
【００１１】
〔実施形態〕
本発明の実施形態について図１〜図１２に基づいて説明すれば以下の通りである。
【００１２】
図１に基づいて本例に係る表示システム１の構成を説明する。
【００１３】
図１は本発明の本例に係る表示システム１の機能ブロック図である。
【００１４】
図１に示す通り、表示システム１はテレビジョン受像機３と情報処理装置２０とを備えている。テレビジョン受像機３はチューナー４と表示装置１０とを備えている。
【００１５】
情報処理装置２０は、テレビジョン受像機３とインターネット等の通信経路によって接続されるサーバとして実現されてもよい。また、情報処理装置２０は、テレビジョン受像機３と一体に構成されていてもよいし、表示装置１０がその機能を実現する構成であってもよい。
【００１６】
表示装置１０は制御装置１６、表示制御部１２、表示部１３、記憶部１４、および送信部１７を備えている。
【００１７】
制御装置１６は、制御部１１、および関連情報取得部１５を備えている。
【００１８】
制御部１１は、表示装置１０の各部に対する全般的な制御を行う。
【００１９】
関連情報取得部１５は、情報処理装置２０から関連情報の取得を行う。
【００２０】
ここで、本実施例における関連情報とは、ユーザが少なくとも一部を視聴した番組に関する情報であって、当該番組の放送中又は放送後に当該番組の放送内容に基づいて生成される。
【００２１】
例えば、コンテンツプロバイダ等は、メタ情報のうち、特に当該番組の放送中又は放送後に生成された所謂後メタ情報から、関連情報を生成し、ユーザに対し提供する。この場合、関連情報は、上記後メタ情報、及び上記後メタ情報に基づき生成された情報である。
【００２２】
表示制御部１２は、表示部１３を制御する。表示制御部１２は、例えば、番組、コマーシャルメッセージ及び関連情報等のコンテンツを表示部１３に表示する場合において、上記表示に関する制御を行う。なお、制御部１１が表示制御部の機能を実現する構成であっても構わない。
【００２３】
表示部１３は、上記表示制御部１２の指示に基づき、表示画面の表示を行う。
【００２４】
記憶部１４は、ユーザの視聴履歴データ及び関連情報取得部１５が取得した上記関連情報データの保持を行う。
【００２５】
送信部１７は、電気機器６０に対して、記憶部１４に記憶したユーザの視聴履歴に応じて上記関連情報を送信する。
【００２６】
情報処理装置２０は、制御部２１、関連情報生成部２２、記憶部２３、関連情報出力部２４及び受信部２５を備えている。
【００２７】
制御部２１は、情報処理装置２０の各部に対する全般的な制御を行う。
【００２８】
関連情報生成部２２は、受信部２５が受信したメタ情報に基づき各番組に関する関連情報の生成を行う。
【００２９】
記憶部２３は、関連情報生成部２２が生成した上記関連情報データを保持する。
【００３０】
関連情報出力部２４は、表示装置１０に対して関連情報の送信を行う。
【００３１】
受信部２５は、メタ情報配信装置２からメタ情報の受信を行う。
【００３２】
メタ情報配信装置２は、各番組の放送内容から抽出したメタ情報の配信元であり、例えば、当該番組の放送中又は放送後に当該番組内容に関連したメタ情報であって、時系列に沿ったメタ情報を提供する装置等を指す。
【００３３】
電気機器６０は、例えば冷蔵庫、洗濯機、炊飯器、家庭用ロボットおよび空調機などの家電製品であるが、これらに限定されるものではない。電気機器６０は、家庭用ネットワークに接続されていることが好ましい。
【００３４】
図１に示すように、電気機器６０は、関連情報取得部６３、報知制御部６２、および、報知部６４を備えている。
【００３５】
関連情報取得部６３は、表示装置１０から送信部１７を介して送信される関連情報の取得を行う。
【００３６】
報知制御部６２は、報知部６４を制御する。報知制御部６２は、取得した関連情報を報知部６４に報知させる場合において、報知に関する制御を行う。
【００３７】
報知部６４は、関連情報又は関連情報を取得した旨を報知する。電気機器６０による報知は、
（１）音声による報知（例えば、発話による報知）
（２）表示部に表示することによる報知
（３）ＬＥＤ等の発光部を発光させることによる報知、及び
（４）振動部を振動させることによる報知
の何れであってもよいし、それらの組み合わせであってもよい。また、他の報知の方法を用いてもよい。なお、（１）の場合、報知部６４は、スピーカを含んで構成される。（２）の場合、報知部６４は、表示部を含んで構成される。（３）の場合、報知部６４は、ＬＥＤ等の発光部を含んで構成される。（４）の場合、報知部６４は、振動部を含んで構成される。
【００３８】
電気機器６０は、表示システム１に予め登録されている電気機器であることが望ましい。例えば、電気機器６０のユーザが、電気機器６０を、表示システム１に対して情報提供を受ける端末として登録しておくことで、電気機器６０と表示システム１との間で通信が行われる構成とすることができる。
【００３９】
上記メタ情報に関して更に説明すれば以下の通りである。メタ情報とは、一例として、放送されたテレビ番組やＣＭから抽出した内容を、テキスト化、データベース化したデータである。例えば、当該放送の音声を音声解析や手作業等によりテキスト化、又はデータベース化したデータであり、一例として、当該放送の５分〜２０分後に生成される。
【００４０】
メタ情報は、当該番組の放送時間より前に生成することも可能ではあるが、当然に当該番組の放送中または放送後の方がより詳細な情報を生成することが可能である。
【００４１】
以下、本明細書においてメタ情報とは、特にことわりのない限り、番組の放送中または放送後に生成された情報のことを指す。一例として、メタ情報は、番組データ、商品データ、店舗データ及びＣＭデータに大別でき、それぞれ以下のような情報を含み得る。以下では、番組の放送中または放送後に生成されたメタ情報を、後メタ情報とも呼称する。
・番組データ
・放送日、曜日、放送時間
・放送局、番組名
・番組放送時間
・ジャンル
・話題・コーナーの詳細情報
・話題・コーナーの開始・終了時間
・商品データ
・商品名、メーカー名
・価格、ＵＲＬ
・ジャンル
・商品概要
・店舗データ
・店舗名、住所
・店舗概要、ＵＲＬ
・放送での紹介状況
・ジャンル
・ＣＭデータ
・放送日、放送時間
・放送局
・ジャンル
・ＣＭ広告主企業
・ＣＭ商品名
また、上記後メタ情報及び上記後メタ情報に基づき生成された情報を、本明細書において関連情報という。関連情報は、上述のように、例えば、関連情報生成部２２によって生成される。
【００４２】
続いて、表示制御部１２が表示部１３に表示させる関連情報表示画面７１について図２に基づいて説明する。
【００４３】
図２は後メタ情報に基づき生成された関連情報の一例を含むカードの表示例である。図２においては、カード７１Ａ〜７１Ｄに含まれる情報は、放送中または放送後の番組の内容から抽出されたメタ情報から生成された関連情報である。例えば図２の７１Ａにおいては、データ名７２Ａ、商品ジャンル７２Ｂ、商品名７２Ｃ，放送時間７２Ｄ，放送局７２Ｅ、番組名７２Ｆ、及び情報提供者名７２Ｇを含む。
【００４４】
また、関連情報表示画面７１は、カード（図２に示す例においてはカード７１Ａ）に対応付けて、例えば『「いいね！」ボタン対象』というテキスト情報７２Ｈを含む場合がある。このテキスト情報７２Ｈは、ユーザの反応に応じて特定された反応タイミングに応じて定まる関連情報であることを示す情報である。テキスト情報７２Ｈは、例えば、ユーザにより、表示装置１０のリモコンの「いいね」ボタンが操作された番組の内容に関するカードを表示する場合に関連情報表示画面７１に含まれる。
【００４５】
また、カウントダウン表示７３に示すように、関連情報表示を終了させるまでの時間を表示しても構わない。
【００４６】
画面に表示する関連情報は図２に示す構成に限定されるものではなく、例えば当該関連情報がＵＲＬを含み、上記ＵＲＬを選択すると、上記ＵＲＬのページに画面が遷移するという構成でもよい。また、上記ＵＲＬにアフィリエイトコードが含まれている構成であってもよい。
【００４７】
また、関連情報として、後メタ情報に含まれる情報をそのまま用いる構成としてもよいし、後メタ情報に含まれる情報を参照したうえで、関連情報を生成する構成としてもよい。
【００４８】
後メタ情報に基づく関連情報の生成の一例として、
・制御部１１が、後メタ情報に含まれるリンク先情報を書き換えたうえで、関連情報として用いるという構成
・制御部１１が、後メタ情報に含まれる情報に文言を追加したうで、関連情報として用いるという構成
などが挙げられる。
【００４９】
以下、各例ではユーザが少なくとも一部を視聴した関連情報を報知させる構成について説明する。
【００５０】
＜関連情報の報知例１＞
本例について、図１及び図３〜図５に基づいて説明すれば、以下の通りである。
【００５１】
本例においては、関連情報の取得を起因として関連情報を報知させる表示装置の構成例について説明する。
【００５２】
図３および図４は本例における関連情報報知の流れを示す図である。
【００５３】
図５は、図３および図４で示す処理において、ユーザが番組視聴を開始し、電気機器６０から関連情報が報知されるまでを示したシーケンス図であり、以下電気機器６０から関連情報が音声（発話）により報知される流れを、図５のステップ番号ごとに説明する。
【００５４】
メタ情報配信装置２は、番組の放送中または放送後に番組ごとに当該番組の内容から抽出したメタ情報を時系列に沿って生成する。情報処理装置２０が備える受信部２５は上記メタ情報をメタ情報配信装置２から受信する。（Ｓ１０１）
関連情報生成部２２は上記メタ情報を参照し、当該番組に関連した関連情報を生成する。制御部２１は関連情報生成部２２が生成した上記関連情報を記憶部２３に格納する。（Ｓ１０２）
ユーザが所定の番組の視聴を行う場合、図３および図４の８０Ａに示すように、表示制御部１２が表示部１３に当該番組の映像の表示を開始し、制御部１１は当該番組の視聴履歴を記憶部１４に保存する。（Ｓ１０３）
なお、メタ情報（後メタ情報）は、番組の放送中又は放送後に番組で既に放送した内容に基づいて生成されるので、例えばユーザが当該番組放送を開始した時間から上記番組の視聴を開始した場合においては、ステップＳ１０３はステップＳ１０１よりも先に行われる。
【００５５】
関連情報出力部２４は記憶部２３に格納されている上記関連情報を、表示装置１０に送信する。（Ｓ１０４）
関連情報取得部１５は上記関連情報を受信し、制御部１１は上記関連情報を記憶部１４に格納する。（Ｓ１０５）
制御部１１は、記憶部１４に格納されている視聴履歴を参照し、上記関連情報がユーザが少なくとも一部を視聴した番組に関する関連情報であるか否かの判定を行う。（Ｓ１０６）
制御部１１は、上記判定に基づき、記憶部１４に格納されている上記関連情報のうち、ユーザが少なくとも一部を視聴した番組の所定の関連情報を送信部１７から電気機器６０に送信する。（Ｓ１０７）
電気機器６０の関連情報取得部６３は上記関連情報を受信する。（Ｓ１０８）
電気機器６０の報知制御部６２は、図３および図４に示すように、報知部６４に関連情報を受信した旨を音声（発話）により報知させる。（Ｓ１０９）
また、図３及び図４に示す例では、関連情報を受信した旨に加え、当該関連情報をテレビジョン受像機３で確認してほしい旨を報知させる。
【００５６】
なお、情報処理装置２０から電気機器６０に送信される上記関連情報は、携帯端末等においてしばしば用いられる所謂プッシュメールの形態で送信されてもよい。例えば、電気機器６０には、情報処理装置２０から受信するプッシュメールを開く専用のアプリケーションがインストールされており、ユーザのプッシュメールを開く操作に応じて、アプリケーションが起動し、上記関連情報が表示される構成であってもよい。また、電気機器６０で、情報処理装置２０から受信したプッシュメールに含まれるＵＲＬをウェブブラウザで開くことで、電気機器６０の備える表示部に上記関連情報が表示される構成であってもよい。
【００５７】
図３および図４の８０Ｂに示すように、関連情報取得部１５が上記関連情報を受信した時には、表示部１３には既に別のシーンまたは別の番組が表示されているため、表示部１３にメタ情報を表示すると、番組の視聴を阻害することとなる。一方で、上記の構成によれば、関連情報を電気機器６０から音声（発話）により報知させて提供できるので、番組の視聴を阻害することなく関連情報を提供できる効果を奏する。
【００５８】
また、報知方法について、上記音声（発話）により報知に限定されず、他の方法、例えば上記の表示部に表示させることによる報知などであってもよい。
【００５９】
＜関連情報の報知例２＞
本例について、図３、図４、図６および図７に基づいて説明すれば、以下の通りである。
【００６０】
本例においては、電気機器６０から報知させる関連情報を情報処理装置２０により決定する構成例について説明する。
【００６１】
以下、図６に基づいて本例に係る表示システム１の構成を説明する。なお便宜上、上記の例にて説明した部材と同じ機能を有する部材については、同じ符号を付記し、説明を省略する。
【００６２】
図６は本例に係る表示システム１の機能ブロック図である。表示装置１０の送信部１７は、情報処理装置２０の受信部２５に対して番組の視聴履歴を送信する。
【００６３】
次に本例における表示システム１の処理の流れについて図７に基づき説明する。
【００６４】
図７はユーザが番組視聴を開始し、電気機器６０から関連情報が報知されるまでを示したシーケンス図であり、以下電気機器６０から関連情報が音声（発話）により報知される流れを、図７のステップ番号ごとに説明する。
【００６５】
ステップＳ１０３までの処理は関連情報の報知例１と同様である。
【００６６】
送信部１７は、情報処理装置２０に対して、番組の視聴履歴を送信する。なお、送信部１７は、情報処理装置２０に対して、番組の視聴履歴を所定時間毎に随時送信してもよいし、ユーザが表示部１３の画面をＯＦＦにする操作を行った場合に送信してもよいし、また、ユーザがチャンネルを変える操作を行った場合に送信してもよい。（Ｓ１１０）
情報処理装置２０の受信部２５は上記視聴履歴を受信する。（Ｓ１１１）
制御部２１は上記視聴履歴に基づき、記憶部２３に格納されている関連情報が当該ユーザが少なくとも一部を視聴した番組に関する関連情報であるか否かの判定を行う。
【００６７】
関連情報出力部２４は上記判定に基づき、記憶部２３が保持している関連情報のうち、上記ユーザが少なくとも一部を視聴した番組に関する関連情報のみを上記表示装置１０に送信する。（Ｓ１１２）
関連情報取得部１５は関連情報出力部２４から送信された上記関連情報を取得し、制御部１１は上記関連情報を記憶部１４に格納する。（Ｓ１１３）
制御部１１は、記憶部１４に格納されている上記関連情報のうち、ユーザが少なくとも一部を視聴した番組の所定の関連情報を送信部１７から電気機器６０に送信する。（Ｓ１０７）
電気機器６０の関連情報取得部６３は上記関連情報を受信する。（Ｓ１０８）
電気機器６０の報知制御部６２は、図３および図４に示すように、報知部６４から関連情報を受信した旨を報知させる。（Ｓ１０９）
なお、報知制御部６２は、上記関連情報を取得したことに起因して、上記関連情報又は上記関連情報を取得した旨の情報を報知部６４から報知させてもよい。
【００６８】
ユーザが所定の番組の視聴を終了するまで、所定の時間ごとに、あるいはチャンネルを変更するごとにステップＳ１１０からステップＳ１０９までの工程を繰り返す。
【００６９】
上記の構成においても関連情報の報知例１と同様な効果を奏する。
【００７０】
また、報知方法について、上記音声（発話）により報知に限定されず、他の方法、例えば上記の表示部に表示させることによる報知などであってもよい。
【００７１】
＜関連情報の報知例３＞
図８はユーザが番組視聴を開始し、電気機器６０から関連情報を報知させるまでを示したシーケンス図であり、以下電気機器６０から関連情報が音声（発話）により報知される流れを、図８のステップ番号ごとに説明する。
【００７２】
ステップＳ１０９までの処理は関連情報の報知例２と同様である。つまり、情報処理装置２０は、表示装置１０から受信した視聴履歴に基づいて関連情報を生成し、当該関連情報を表示装置１０を介して電気機器６０に送信して、電気機器６０から報知させる。
【００７３】
この関連情報の報知例３では、電気機器６０から関連情報を報知させるとともに、表示装置１０の表示部１３に関連情報を表示する表示装置の構成例について説明する。
【００７４】
ユーザが所定の番組の視聴を終了するまで、所定の時間ごとに、あるいはチャンネルを変更するごとにステップＳ１１０からステップＳ１０９までの工程を繰り返す。
【００７５】
なお、図示は省略するが、表示制御部１２は、上記関連情報を取得したことに起因して、上記関連情報又は上記関連情報を取得した旨の情報を表示部１３の少なくとも一部、例えば画面の隅に番組視聴を邪魔することがないように表示させてもよい。
【００７６】
次いでユーザが番組の視聴を終了し、表示装置１０の表示部１３の画面表示をＯＦＦにすることによってコンテンツ（番組）の表示を終了する操作を行う。（Ｓ１２０）
表示制御部１２はユーザによる画面表示の終了操作に起因して、記憶部１４に格納されている上記関連情報を表示部１３に表示する。（Ｓ１２１）
上記関連情報の表示中に上記関連情報の参照等を行わない場合、所定の時間の経過後に表示制御部１２は、図示は省略するが、表示部１３の画面をＯＦＦにする。また、ユーザが再度表示部１３の画面表示をＯＦＦにすることによってコンテンツ（番組）の表示を終了する操作を行った場合、すぐさま上記関連情報の表示を終了する構成でもよい。また、上記関連情報の表示中に上記関連情報の参照等を行った場合においては、表示制御部１２は所定の時間の経過後に表示部１３の画面をＯＦＦにするという当所の操作をキャンセルしてもよい。
【００７７】
上記の構成においても関連情報の報知例１と同様な効果を奏する。
【００７８】
また、報知方法について、上記音声（発話）により報知に限定されず、他の方法、例えば上記の表示部に表示させることによる報知などであってもよい。
【００７９】
なお、上記の例では、ユーザによる画面表示の終了操作に起因して、表示部１３に関連情報を表示したが、本願発明は上記の構成に限定されない。例えば入力モードを切り替えることによってコンテンツ（番組）視聴を終了する動作に起因して、表示部１３に関連情報を表示する構成でも構わない。
【００８０】
＜関連情報の報知例４＞
本例について、図３、図４、図９及び図１０に基づいて説明すれば、以下の通りである。
【００８１】
以下、図９に基づいて本例に係る表示システム１の構成を説明する。なお便宜上、上記の例にて説明した部材と同じ機能を有する部材については、同じ符号を付記し、説明を省略する。
【００８２】
図９は本例に係る表示システム１の機能ブロック図である。本例においては、電気機器６０から報知させる関連情報を情報処理装置２０により決定する構成例について説明する。また、関連情報の報知例１−３では表示装置１０から電気機器６０に視聴した番組の関連情報を送信したが、本例では情報処理装置２０から視聴した番組の関連情報を電気機器６０に送信する構成について示す。
【００８３】
表示装置１０の送信部１７は、情報処理装置２０の受信部２５に対して番組の視聴履歴を送信する。情報処理装置２０の関連情報出力部２４は、電気機器６０の関連情報取得部６３に視聴した番組に関する関連情報を送信する。
【００８４】
本例における表示システム１の処理の流れについて図３、図４及び図１０に基づき説明する。
【００８５】
図１０は、図３および図４で示す処理において、ユーザが番組視聴を開始し、関連情報が報知されるまでを示したシーケンス図であり、以下電気機器６０から関連情報が音声（発話）により報知される流れを、図１０のステップ番号ごとに説明する。
【００８６】
ステップＳ１０３までの処理は関連情報の報知例１と同様である。
【００８７】
送信部１７は、情報処理装置２０に対して、番組の視聴履歴を送信する。なお、送信部１７は、情報処理装置２０に対して、番組の視聴履歴を所定時間毎に随時送信してもよいし、ユーザが表示部１３の画面をＯＦＦにする操作を行った場合に送信してもよいし、また、ユーザがチャンネルを変える操作を行った場合に送信してもよい。（Ｓ１１０）
情報処理装置２０の受信部２５は上記視聴履歴を受信する。（Ｓ１１１）
制御部２１は上記視聴履歴に基づき、記憶部２３に格納されている関連情報が当該ユーザが少なくとも一部を視聴した番組に関する関連情報であるか否かの判定を行う。
【００８８】
関連情報出力部２４は上記判定に基づき、記憶部２３が保持している関連情報のうち、上記ユーザが少なくとも一部を視聴した番組に関する関連情報のみを上記電気機器６０に送信する。（Ｓ１１５）
電気機器６０の関連情報取得部６３は上記関連情報を受信する。（Ｓ１０８）
電気機器６０の報知制御部６２は、図３および図４に示すように、報知部６４から関連情報を受信した旨を報知させる。（Ｓ１０９）
上記の構成においても関連情報の報知例１と同様な効果を奏する。
【００８９】
また、報知方法について、上記音声（発話）により報知に限定されず、他の方法、例えば上記の表示部に表示させることによる報知などであってもよい。
【００９０】
＜関連情報の報知例５＞
本例について、図１１および図１２に基づいて説明すれば、以下の通りである。
【００９１】
以下、図１１に基づいて本例に係る表示システム１の構成を説明する。なお便宜上、上記の例にて説明した部材と同じ機能を有する部材については、同じ符号を付記し、説明を省略する。
【００９２】
図１１は本例に係る表示システム１の機能ブロック図である。本例においては、電気機器６０から報知させる関連情報を情報処理装置２０により決定し、電気機器６０から関連情報を表示装置１０に送信する構成例について説明する。
【００９３】
本例に係る電気機器６０は、送信部６５を更に含んでいる。
【００９４】
表示装置１０の送信部１７は、情報処理装置２０の受信部２５に対して番組の視聴履歴を送信する。情報処理装置２０の関連情報出力部２４は、電気機器６０の関連情報取得部６３に視聴した番組に関する関連情報を送信する。電気機器６０の送信部６５は、表示装置１０の関連情報取得部１５に視聴した番組に関する関連情報を送信する。なお、電気機器６０の報知部６４により報知された上記関連情報を表示装置１０に送信する操作をユーザが行うことで、上記関連情報が表示装置１０に送信されて表示装置１０の表示部１３に表示されてもよい。
【００９５】
本例における表示システム１の処理の流れについて図１２に基づき説明する。
【００９６】
図１２は、ユーザが番組視聴を開始し、電気機器６０から関連情報が報知されるまでを示したシーケンス図であり、以下電気機器６０から関連情報が音声（発話）により報知される流れを、図１２のステップ番号ごとに説明する。
【００９７】
ステップＳ１０９までの処理は関連情報の報知例４と同様である。
【００９８】
表示装置１０の関連情報取得部１５は、電気機器６０の送信部６５から送信された上記関連情報を取得する。（Ｓ１２６）
表示制御部１２は記憶部１４に格納されているユーザが少なくとも一部を視聴した番組に関する上記関連情報を表示部１３に表示する。（Ｓ１２７）
表示制御部１２は、表示部１３の一部、例えば画面の隅に上記関連情報を表示してもよいし、上記関連情報を表示部１３の画面全体に表示してもよい。また、ユーザがリモコン操作によって、表示部１３の一部に表示された上記関連情報を選択することで、表示部１３の画面全体に表示させる構成であってもよい。
【００９９】
上記の構成によれば、番組の視聴を極力阻害せずに、関連情報を提供することができるとともに、ユーザ操作に応じて関連情報を大画面表示することができ、ユーザの利便性を向上することができる。
【０１００】
また、報知方法について、上記音声（発話）により報知に限定されず、他の方法、例えば上記の表示部に表示させることによる報知などであってもよい。
【０１０１】
〔ソフトウェアによる実現例〕
表示装置１０の制御ブロック（特に関連情報取得部１５及び表示制御部１２）、及び電気機器６０の制御ブロック（特に報知制御部６２）は、集積回路（ＩＣチップ）等に形成された論理回路（ハードウェア）によって実現してもよいし、ソフトウェアによって実現してもよい。
【０１０２】
後者の場合、表示装置１０及び電気機器６０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Centrａl Processing Unit）を用いることができる。上記記録媒体としては、「一時的でない有形の媒体」、例えば、ＲＯＭ（Reａd Only Memory）等の他、テープ、ディスク、カード、半導体メモリ、プログラマブルな論理回路などを用いることができる。また、上記プログラムを展開するＲＡＭ（Rａndom Ａccess Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０３】
〔まとめ〕
本発明の態様１に係る制御装置１６は、番組の放送中又は放送後に当該番組の放送内容に基づいて生成された関連情報を取得する関連情報取得部１５と、上記関連情報又は上記関連情報を取得した旨の情報を電気機器６０から報知させる制御部１１とを備えている構成である。
【０１０４】
本発明の態様２に係る制御装置１６は、上記の態様１に記載の制御装置１６であって、上記関連情報とは、ユーザが少なくとも一部を視聴した番組に関する関連情報であってもよい。
【０１０５】
本発明の態様３に係る表示装置１０は、上記の態様１に記載の制御装置１６を備えている表示装置１０であって、コンテンツ表示の終了操作に起因して、上記関連情報を表示部に表示させる表示制御部を備えてもよい。
【０１０６】
本発明の態様４に係る表示装置１０は、上記の態様３に記載の制御装置１６を備えている表示装置１０であって、上記コンテンツ表示の終了操作とは、画面表示の終了操作であってもよい。
【０１０７】
本発明の態様５に係る表示装置１０は、上記の態様１に記載の制御装置１６を備えている表示装置１０であって、上記関連情報を取得したことに起因して、上記関連情報又は上記関連情報を取得した旨の情報を表示部１３に表示させる表示制御部１２を備えている構成としてもよい。
【０１０８】
本発明の態様６に係る表示装置１０を備えていることを特徴とするテレビジョン受像機３は、態様３又は態様５に記載の表示装置１０を備えている構成としてもよい。
【０１０９】
本発明の態様７に係る電気機器６０は、番組の放送中又は放送後に当該番組の放送内容に基づいて生成された関連情報を取得する関連情報取得部６３と、上記関連情報取得部６３による上記関連情報の取得に起因して、上記関連情報又は上記関連情報を取得した旨の情報を報知部６４から報知させる報知制御部６２とを備えている構成である。
【０１１０】
本発明の態様８に係る電気機器６０は、上記の態様７に記載の電気機器６０であって、上記関連情報とは、ユーザが少なくとも一部を視聴した番組に関する関連情報であってもよい。
【０１１１】
本発明の各態様に係る表示装置１０は、コンピュータによって実現してもよく、この場合には、コンピュータを上記表示装置１０が備える各部（ソフトウェア要素）として動作させることにより上記表示装置１０をコンピュータにて実現させる表示装置１０の制御プログラム、およびそれを記録したコンピュータ読み取り可能な記録媒体も、本発明の範疇に入る。
【０１１２】
また、本発明の各態様に係る電気機器６０は、コンピュータによって実現してもよく、この場合には、コンピュータを上記電気機器６０が備える各部（ソフトウェア要素）として動作させることにより上記電気機器６０をコンピュータにて実現させる電気機器６０の制御プログラム、およびそれを記録したコンピュータ読み取り可能な記録媒体も、本発明の範疇に入る。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１４】
１  表示システム
２  メタ情報配信装置
３  テレビジョン受像機
１０  表示装置
１１、２１  制御部
１２  表示制御部
１３  表示部
１４、２３  記憶部
１５、６３  関連情報取得部
１６  制御装置
１７、６５  送信部
２０  情報処理装置
２２  関連情報生成部
２４  関連情報出力部
２５  受信部
６０  電気機器
６２  報知制御部
６４  報知部
【図１】
2019047319.tif 000003
【図２】
2019047319.tif 000004
【図３】
2019047319.tif 000005
【図４】
2019047319.tif 000006
【図５】
2019047319.tif 000007
【図６】
2019047319.tif 000008
【図７】
2019047319.tif 000009
【図８】
2019047319.tif 000010
【図９】
2019047319.tif 000011
【図１０】
2019047319.tif 000012
【図１１】
2019047319.tif 000013
【図１２】
2019047319.tif 000014
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
番組の放送中又は放送後に当該番組の放送内容に基づいて生成された関連情報を取得する関連情報取得部と、
上記関連情報又は上記関連情報を取得した旨の情報を電気機器から報知させる制御部と、
画面表示の終了操作に起因して、上記関連情報を表示部に表示させる表示制御部と、を備えている
ことを特徴とする表示装置。
【請求項２】
上記関連情報とは、ユーザが少なくとも一部を視聴した番組に関する関連情報であることを特徴とする請求項１に記載の表示装置。
【請求項３】
請求項１又は２に記載の表示装置を備えていることを特徴とするテレビジョン受像機。
【請求項４】
請求項１又は２に記載の表示装置と、
上記関連情報を出力する情報処理装置と、
を備えた表示システム。
【請求項５】
請求項１に記載の表示装置としてコンピュータを機能させるための制御プログラムであって、上記関連情報取得部及び上記制御部としてコンピュータを機能させるための制御プログラム。
【請求項６】
請求項５に記載の制御プログラムを記録したコンピュータ読み取り可能な記録媒体。
【請求項７】
番組の放送中又は放送後に当該番組の放送内容に基づいて生成された関連情報を取得する関連情報取得部と、
上記関連情報又は上記関連情報を取得した旨の情報を電気機器から報知させる制御部と、
を備えており、
上記電気機器が報知した関連情報のうち、ユーザの指示に基づき送信された関連情報を取得し、取得した関連情報を表示部に表示する
ことを特徴とする表示装置。
【請求項８】
上記関連情報とは、ユーザが少なくとも一部を視聴した番組に関する関連情報であることを特徴とする請求項７に記載の表示装置。
【請求項９】
画面表示の終了操作に起因して、上記関連情報を表示部に表示させる表示制御部を備えていることを特徴とする請求項７又は８に記載の表示装置。
【請求項１０】
上記関連情報を取得したことに起因して、上記関連情報又は上記関連情報を取得した旨の情報を表示部に表示させる表示制御部を備えていることを特徴とする請求項７又は８に記載の表示装置。
【請求項１１】
請求項７〜１０の何れか１項に記載の表示装置と、
上記関連情報を出力する情報処理装置と、
を備えた表示システム。
【請求項１２】
請求項７〜１０の何れか１項に記載の表示装置としてコンピュータを機能させるための制御プログラムであって、上記関連情報取得部及び上記制御部としてコンピュータを機能させるための制御プログラム。
【請求項１３】
請求項１２に記載の制御プログラムを記録したコンピュータ読み取り可能な記録媒体。